(57)【要約】【課題】非接触式のカードを含む複数のカードを用いて取引を行う場合でも、装置の構造を複雑にすることなく、それぞれのカードの取り忘れを防止する。【解決手段】非接触式の媒体である第１の媒体と、第１の媒体以外の媒体である第２の媒体とを用いた取引が可能な自動取引機であって、第２の媒体を挿入するための挿入口と、第１の媒体に記録された情報を読み取るためのリーダ部であって、挿入口の近傍に設けられたリーダ部と、を備える。【選択図】図７
2019133490.tif 000002
【特許請求の範囲】
【請求項１】
非接触式の媒体である第１の媒体と、前記第１の媒体以外の媒体である第２の媒体とを用いた取引が可能な自動取引機であって、
前記第２の媒体を挿入するための挿入口と、
前記第１の媒体に記録された情報を読み取るためのリーダ部であって、前記挿入口の近傍に設けられた前記リーダ部と、
を備えたことを特徴とする自動取引機。
【請求項２】
前記第１の媒体の一部または全部が前記挿入口の一部または全部を覆うように前記第１の媒体を保持する媒体保持部、
を備えることを特徴とする請求項１に記載の自動取引機。
【請求項３】
前記媒体保持部は、前記第１の媒体を保持するための保持部材と、前記挿入口から排出される前記第２の媒体に押し当てられた前記第１の媒体によって前記保持部材を前記利用者側に倒すための留め具と、を有して構成される、
ことを特徴とする請求項２に記載の自動取引機。
【請求項４】
前記保持部材が前記利用者側に倒れたことを検知するセンサと、
前記取引を制御する制御部と、を備え、
前記制御部は、前記第１の媒体と前記第２の媒体とが排出された旨のガイダンスを前記利用者に向けて出力する、
ことを特徴とする請求項３に記載の自動取引機。
【請求項５】
前記取引を制御する制御部と、
前記リーダ部を有した前記第１の媒体を用いた処理を行う第１の媒体処理装置と、
前記挿入口を有した前記第２の媒体を用いた処理を行う第２の媒体処理装置と、を備え、
前記制御部は、前記第１の媒体処理装置が有する前記リーダ部が前記媒体保持部に置かれた前記第１の媒体に記録された情報を読み取ることができなくなった場合に、前記第２の媒体を前記第２の媒体処理装置が有する前記挿入口から排出する、
ことを特徴とする請求項２に記載の自動取引機。
【請求項６】
前記取引を制御する制御部と、
前記リーダ部を有した前記第１の媒体を用いた処理を行う第１の媒体処理装置と、
前記挿入口を有した前記第２の媒体を用いた処理を行う第２の媒体処理装置と、を備え、
前記制御部は、前記第２の媒体処理装置が有する前記挿入口から前記第２の媒体を排出して前記第１の媒体に突き当て、前記留め具を中心に前記保持部材を前記利用者側に倒すことにより、前記第１の媒体と前記第２の媒体とが重なるように前記第２の媒体を排出する、
ことを特徴とする請求項３に記載の自動取引機。
【請求項７】
前記取引を制御する制御部と、
表示部と、を備え、
前記制御部は、前記第１の媒体と前記第２の媒体とが略同じ位置から返却される旨のガイダンスを前記表示部に出力する、
ことを特徴とする請求項１に記載の自動取引機。
【発明の詳細な説明】
【技術分野】
【０００１】
本発明は、自動取引機に関する。
【背景技術】
【０００２】
例えば、現金自動預金支払機（ＡＴＭ：Ａｕｔｏｍａｔｅｄ Ｔｅｌｌｅｒ Ｍａｃｈｉｎｅ）等の取引処理端末には、磁気カードや接触式ＩＣカードの情報を処理する接触式カード処理装置が搭載されている。近年、これに加え非接触式ＩＣカードの情報を処理する非接触式カード処理装置の搭載が増えてきている。
【０００３】
接触式カード処理装置は、利用者が磁気カードや接触式ＩＣカードを自身の手でカード挿抜口に挿入し、処理終了後、挿入した磁気カードをカード挿抜口から抜取る。また、非接触式カード処理装置は、利用者が非接触式ＩＣカードを自身の手で非接触式カード処理装置のアンテナ部に配置し、処理終了後、配置した非接触式ＩＣカードをアンテナ部から引き取る。
【０００４】
ここで、非接触式ＩＣカード処理装置は、もともとＡＴＭに搭載されていた装置ではなく、追加された装置ということもあり、ＡＴＭ内部や表面の実装エリアに余裕がない。したがって、構造上、カード挿抜口と非接触ＩＣカードリーダ部が近傍にないケースがある（例えば特許文献１）。
【０００５】
また、最近では、例えば、ＡＴＭで非接触式ＩＣカードに現金をチャージする場合、磁気カードや接触式ＩＣカードをＡＴＭのカード挿抜口に挿入し、挿入したカードから口座番号などの情報を読み取り、非接触式ＩＣカードが非接触式カード処理装置のアンテナ部に置かれた場合に、これを検知してチャージ処理を行うものもある。
【先行技術文献】
【特許文献】
【０００６】
【特許文献１】特開２０１２−１５５６５６号公報
【発明の概要】
【発明が解決しようとする課題】
【０００７】
しかし、上述した従来技術では、カード挿抜口と非接触ＩＣカードリーダ部が近傍に配置されていない。このため、利用者が非接触式ＩＣカードにチャージした後、非接触式ＩＣカードは取得するが、磁気カードもしくは接触式ＩＣカードを取り忘れることがある。もしくは、利用者が非接触式ＩＣカードにチャージした後、磁気カードもしくは接触式ＩＣカードは取得するが、非接触式ＩＣカードを取り忘れる場合もある。
【０００８】
これに対し、磁気カードもしくは接触式ＩＣカードと非接触式ＩＣカードが取り扱い可能なように、操作位置を同一箇所にした１つのカード処理装置を構成することで両者のカードの取り忘れ防止を図ることもできる。しかし、１つの装置で両者のカードを取り込む場合、２枚のカードを同時に取り込んで処理するため、ＡＴＭ内のメカ構造が複雑になってしまう。このように、非接触式のカードを含む複数のカードを用いて取引を行う場合でも、装置の構造を複雑にすることなく、それぞれのカードの取り忘れを防止することが可能な技術が求められていた。
【０００９】
本発明は、非接触式のカードを含む複数のカードを用いて取引を行う場合でも、装置の構造を複雑にすることなく、それぞれのカードの取り忘れを防止することが可能な自動取引機を提供することを目的とする。
【課題を解決するための手段】
【００１０】
本発明にかかる自動取引機は、非接触式の媒体である第１の媒体と、前記第１の媒体以外の媒体である第２の媒体とを用いた取引が可能な自動取引機であって、前記第２の媒体を挿入するための挿入口と、前記第１の媒体に記録された情報を読み取るためのリーダ部であって、前記挿入口の近傍に設けられた前記リーダ部と、を備えたことを特徴とする自動取引機として構成される。
【発明の効果】
【００１１】
本発明によれば、非接触式のカードを含む複数のカードを用いて取引を行う場合でも、装置の構造を複雑にすることなく、それぞれのカードの取り忘れを防止することができる。
【図面の簡単な説明】
【００１２】
【図１】実施例１のカード処理装置と非接触ＩＣカードリーダを搭載したＡＴＭの概略ブロック図。
【図２】ＡＴＭと利用者の概略位置関係を示す説明図である。
【図３】同実施例のカード処理装置の概略ブロック図。
【図４】同実施例のカード処理装置の概略構造図。
【図５】同実施例の非接触ＩＣカードリーダの概略ブロック図。
【図６】同実施例の非接触ＩＣカードリーダの概略構造図。
【図７】同実施例の磁気カードと非接触ＩＣカードの操作の流れを示す図。
【図８】実施例２の磁気カードと非接触ＩＣカードの操作の流れを示す図。
【発明を実施するための形態】
【００１３】
以下、図面に基づいて、幾つかの実施例を詳述する。各実施例では、非接触式のＩＣカードを含む複数枚（例えば、２枚）のカードを使用した取引において、複雑なメカ構造を追加することなく、取り忘れ防止効果を高めることができる。
【実施例１】
【００１４】
（１−１）ＡＴＭおよびカード処理装置、非接触ＩＣカードリーダの構成
まず、本実施例のＡＴＭ１およびカード処理装置３（第２の媒体処理装置）および非接触ＩＣカードリーダ６（第１の媒体処理装置）の構成について、図１乃至図６を参照して説明する。
【００１５】
図１は、本実施例のカード処理装置および非接触ＩＣカードリーダを搭載したＡＴＭの概略ブロック図である。図２は、ＡＴＭ１と利用者２００の概略位置関係を示す説明図である。
【００１６】
図１に示すように、カード処理装置３および非接触ＩＣカードリーダ６は、例えば、金融機関に設置されたＡＴＭ１等に搭載される。カード処理装置３は、利用者側の前端部分であるカード挿入口が、ＡＴＭ１の前面よりも利用者側に突出した状態でＡＴＭ１に搭載される。カード処理装置３は、ＡＴＭ１の利用者２００が所持する磁気カード３００の挿入を受け付けた時に、当該磁気カード３００（第２の媒体）に記録された磁気情報を磁気信号として読み取る。一方、非接触ＩＣカードリーダ６は、非接触ＩＣカード保持機構１０に置かれ、利用者２００が所有する非接触ＩＣカード４００（第１の媒体）との間で無線通信することにより、当該非接触ＩＣカード４００のＩＣチップに記録された情報を読み取る。
【００１７】
このほか、ＡＴＭ１は、ＡＴＭ１全体の動作を制御するＣＰＵ（Central Processing Unit）を有したＡＴＭ全体制御部２、利用者２００からの取引操作を受け付けたり、取引結果を表示するタッチパネルを有した表示部４、ネットワークを介してＡＴＭ１の取引を管理するホストコンピュータと接続するためのインタフェースであるホストインタフェース５、ランプ８を点灯させたり、スピーカ９を鳴動させるためのインタフェースである入出力インタフェース７とを有している。ランプ８、スピーカ９は、ＡＴＭ１自体の異常や、取引処理実行時の異常のほか、磁気カード３００と非接触ＩＣカード４００とが略同じ位置から返却される旨のガイダンス、これらのカードを取り忘れたときのガイダンスを示す情報を利用者２００に知らせる機器である。
【００１８】
図３は、カード処理装置の機能を示すブロック図である。
具体的には、図３に示すように、カード処理装置３は、制御部１２と、磁気読取部１３と、磁気ストライプ読取部１４ａを有した磁気ストライプ検出部１４と、ＩＣカード読取部１６と、カード搬送部２０と、カード位置検出センサ２１と、シャッタ駆動部２２とを有している。図１では、ＡＴＭ１がホストインタフェース５、入出力インタフェース７を備える構成を例示したが、カード処理装置３が、これらと同様のホストインタフェース１５、入出力インタフェース１７を備えていてもよい。また、入出力インタフェース１７には、図１に示したランプ８、スピーカ９と同様のランプ１８、スピーカ１９が接続されていてもよい。
なお、制御部１２は、例えば、図１に示したＡＴＭ全体制御部２と同様、基板に実装されたマイクロコンピュータ（ＣＰＵ）から構成され、各部の動作を制御する。
【００１９】
図４は、カード処理装置の概略構造図である。
カード処理装置３の利用者２００側となる前面には、磁気カード３００の挿入抜取口となるカード挿入口５０が形成されていると共に、１つもしくは複数のランプ８（例えば、ＬＥＤ（Light Emitting Diode）ランプ）が固定されている。カード処理装置３の上部には、スピーカ９が配置されている。
【００２０】
磁気読取部１３は、磁気ヘッド１３ａと、当該磁気ヘッド１３ａを駆動するための回路（図示せず）から構成される。
【００２１】
カード搬送部２０は、カード搬送用のカード搬送ローラ２０ａと、カード搬送ローラ２０ａ駆動するためのモーター（図示せず）から構成される。
【００２２】
シャッタ駆動部２２は、カード処理装置３の内部へのアクセスを防止するシャッタ部２２ａと、シャッタ部を駆動するための回路（図示せず）から構成される。
【００２３】
カード位置検出センサ２１は、光センサ発光素子２１ａと受光素子２１ｂとから構成されている。光センサ発光素子２１ａと受光素子２１ｂとは、ＡＴＭ１に搭載された状態のカード処理装置３の奥側に配置されている。発光素子２１ａから発行された光は、磁気カードの先端側で反射し、受光素子２１ｂに戻る。カード位置検出センサ２１は、受光素子２１ｂにて受光された光量の変化に基づいて、カード処理装置３内に挿入された磁気カードの位置を検知する。ホストインタフェース１５は、ＡＴＭ１に情報を送受信する回路から構成されている。また、入出力インタフェース１７は、ランプ８やスピーカ９に信号を出力するための回路から構成されている。
【００２４】
図５は、非接触ＩＣカードリーダの機能を示すブロック図である。
具体的には、図５に示すように、非接触ＩＣカードリーダ６は、制御部３２と、アンテナ部３３と、非接触ＩＣカード通信部３４とを有している。図１では、ＡＴＭ１がホストインタフェース５、入出力インタフェース７を備える構成を例示したが、カード処理装置３が、これらと同様のホストインタフェース３５、入出力インタフェース３７を備えていてもよい。また、入出力インタフェース３７には、図１に示したランプ８、スピーカ９と同様のランプ３８、スピーカ３９が接続されていてもよい。
【００２５】
制御部３２は、例えば、図１に示したＡＴＭ全体制御部２と同様、基板に実装されたマイクロコンピュータ（ＣＰＵ）から構成され、各部の動作を制御する。
【００２６】
図６は、非接触ＩＣカードリーダの概略構造図である。
非接触ＩＣカードリーダ６の利用者２００側となる前面には、非接触ＩＣカード４００と無線通信するためのアンテナ部３３が形成されていると共に、１つもしくは複数のランプ３８が固定されており、同時にスピーカ３９が配置されている場合もある。アンテナ部３３は、後述するように、例えば、カード挿入口５０の周囲を取り囲むループアンテナにより構成される。本実施例では、カード挿入口５０の周囲にループアンテナを設ける構成としたが、必ずしもループ状である必要はなく、カード挿入口５０の周囲に１または複数のアンテナを設け、カード挿入口５０と当該アンテナとを近接して配置してもよい。
【００２７】
また、具体的には後述するが、非接触ＩＣカードリーダ６には、非接触ＩＣカード４００と無線通信するアンテナ部３３側であるＡＴＭ１の前面側に、非接触ＩＣカード４００を保持するための非接触ＩＣカード保持機構７０を有している。本実施例では、当該保持機構７０を非接触ＩＣカードリーダ６に設ける構成としたが、ＡＴＭ１、あるいは非接触ＩＣカードリーダ６に近接して配置されるカード処理装置３の上記前面側に設けられていてもよい。
【００２８】
非接触ＩＣカード通信部３４は、アンテナ部３３と信号をやり取りすることにより、非接触ＩＣカード４００と通信するための回路（図示せず）から構成される。
ホストインタフェース３５は、ＡＴＭ１に情報を送受信する回路から構成されている。また、入出力インタフェース３７は、ランプ３８やスピーカ３９に信号を出力するための回路から構成されている。
【００２９】
（１−２）磁気カードおよび非接触ＩＣカード利用時の動作
図７は、利用者による磁気カードの挿入から抜き取り、および非接触ＩＣカードを置いてから取り外すまでの動作を示す図である。
【００３０】
利用者２００は、取引をはじめとする各種操作を行うために、磁気カード３００をカード処理装置３のカード挿入口５０に挿入する。カード処理装置３が磁気カード３００の挿入を検知すると、カード処理装置３の制御部１２は、カード搬送部２０が有する搬送ローラ２０ａを駆動することにより、挿入された磁気カード３００をカード処理装置３の内部に搬送する（図７（ａ））。
【００３１】
磁気読取部１３は、磁気カード３００が磁気ヘッド１３ａを通過することにより、磁気カード３００に記録されている磁気データを読取る。制御部１２は、読取った磁気カードの情報を、ホストインタフェース１５経由でＡＴＭ１に送信する。
【００３２】
次に、ＡＴＭ全体制御部２は、利用者に対し、表示部４に表示するガイダンスにより、非接触ＩＣカード４００をカード利用者側となる前面のカード挿入口に配置されている非接触ＩＣカード保持機構７０に置くよう促す。非接触ＩＣカード保持機構７０は、例えば、利用者によって置かれる非接触ＩＣカード４００を保持するためのカード保持部材として、ポリエチレン製や樹脂製の平板状の部材から構成される。利用者は非接触ＩＣカードを非接触ＩＣカード保持機構に置く（図７（ｂ）のＡ）。ここで、非接触ＩＣカード保持機構７０は、図７（ｂ）の正面図に示すように、非接触ＩＣカード４００が置かれると、非接触ＩＣカード４００がカード処理装置３のカード挿入口５０の全部もしくは一部を塞ぐような構造とする。例えば、非接触ＩＣカード保持機構７０は、カード処理装置３の前面である利用者２００側であって、非接触ＩＣカード４００が置かれたときに、当該カードの一部または全部により、カード挿入口５０およびアンテナ部３３の全部または一部を覆うように、カード挿入口５０およびアンテナ部３３の近傍に配置される。
【００３３】
非接触ＩＣカードリーダ６は、アンテナ部３３を介して上記保持機構７０に置かれた非接触ＩＣカード４００と通信を行い、非接触ＩＣカードのＩＣチップに記録されている情報を、ホストインタフェース３５経由でＡＴＭ１とやり取りする。
【００３４】
必要な取引が終了した後、ＡＴＭ１のＡＴＭ全体制御部２は、表示部４に表示するガイダンスにより、利用者に対して、非接触ＩＣカード４００を非接触ＩＣカード保持機構７０から取り外すよう促す。利用者２００は、非接触ＩＣカード４００を非接触ＩＣカード保持機構７０から取り外すと（図７（ｃ）のＢ）、非接触ＩＣカードリーダ６の制御部３２は、アンテナ部３３と非接触ＩＣカード４００が取外され、非接触ＩＣカード４００との間で行われる無線通信が出来なくなったことを検知すると、ホストインタフェース３５を介してＡＴＭ１に通知する。ＡＴＭ１のＡＴＭ全体制御部２は、すぐさまカード処理装置３に磁気カード３００の排出動作を要求し（図７（ｃ）のＣ）、カード処理装置は磁気カードを返却する（図７（ｄ）のＤ）。このとき、ＡＴＭ１のＡＴＭ全体制御部２は、表示部４に表示するガイダンスにより、利用者に対して、磁気カード３００が非接触ＩＣカード４００をと略同じ位置から排出される旨を出力する。
【００３５】
なお、この時、非接触ＩＣカードリーダ６とカード処理装置３とを電気的に接続し、非接触ＩＣカードリーダ６の制御部３２が、利用者２００が非接触ＩＣカード４００を非接触ＩＣカード保持機構７０から取り外したことを、非接触ＩＣカードリーダ６からカード処理装置３に直接通知し、カード処理装置３の制御部１２が磁気カード３００を返却してもよい。
【００３６】
本実施の形態によれば、ＡＴＭ１は、磁気カード３００をＡＴＭ１に挿入排出するためのカード挿入口５０と、磁気カード３００を取り込んで搬送しカード情報を読取るカード処理装置３と、非接触ＩＣカード４００と通信するための非接触ＩＣカードリーダ６と、利用者２００に向けたガイダンスを出力する表示部４と、上記各部をそれぞれ制御するＡＴＭ全体制御部２とを備え、非接触ＩＣカードリーダ６のアンテナ部３３をカード挿入口５０の一部または全部と重なる位置に設け、取引処理の開始で、利用者２００が磁気カード３００を挿入し、その後、非接触ＩＣカード４００を非接触ＩＣカードリーダ６と通信するための所定の位置に置き、取引終了後には、非接触ＩＣカード４００を所定の位置から取り除き、取り除かれた後に、磁気カード３００をカード挿入口５０から排出する。したがって、略同一位置となる箇所からわずかな時間差で連続して２枚のカードを返却することで、取り忘れを抑制することができる。また、上記の処理の流れをガイダンスで表示するので、利用者２００に対して、とり忘れ防止を強く意識づけることができる。
【実施例２】
【００３７】
（２−１）ＡＴＭおよびカード処理装置、非接触ＩＣカードリーダの構成
次に、第２実施例について、図１乃至図６および図８を参照して説明する。
実施例１では、利用者が、磁気カードのカード挿入口近傍に設けられた非接触ＩＣカード保持機構に非接触ＩＣカードを置き、取引後に利用者自身が非接触ＩＣカード保持機構から抜き取ることとしたが、非接触ＩＣカードと磁気カードとを受け取るタイミングが異なるものであった。以下では、非接触ＩＣカードと磁気カードとを一度に受け取る場合について説明する。なお、本実施例に係るＡＴＭ１およびカード処理装置３および非接触ＩＣカードリーダ６の構成における、第１実施例と同じ構成要素には同一の符号を付して詳細な説明を省略し、以下では、第１実施例とは異なる非接触ＩＣカード保持機構の動作について説明する。
【００３８】
（２−２）磁気カードおよび非接触ＩＣカード利用時の動作
図８は、利用者による磁気カードの挿入から抜き取り、および非接触ＩＣカードを置いてから取り外すまでの動作を示す図である。
【００３９】
利用者２００は、取引をはじめとする各種操作を行うために、磁気カード３００をカード処理装置３のカード挿入口５０に挿入する。カード処理装置３が磁気カード３００の挿入を検知すると、カード処理装置３の制御部１２は、カード搬送部２０が有する搬送ローラ２０ａを駆動することにより、挿入された磁気カード３００をカード処理装置３の内部に搬送する（図８（ａ））。
【００４０】
磁気読取部１３は、磁気カード３００が磁気ヘッド１３ａを通過することにより、磁気カード３００に記録されている磁気データを読取る。制御部１２は、読取った磁気カードの情報をホストインタフェース１５経由でＡＴＭ１に送信する。
【００４１】
次に、ＡＴＭ全体制御部２は、利用者に対し、表示部４に表示するガイダンスにより、非接触ＩＣカード４００をカード利用者側となる前面のカード挿入口５０に配置されている非接触ＩＣカード保持機構８０に置くよう促す。
【００４２】
利用者は、非接触ＩＣカード４００を非接触ＩＣカード保持機構８０に置く（図８（ｂ）のＡ）。非接触ＩＣカード保持機構８０は、実施例１の場合と同様に、非接触ＩＣカードが置かれると、非接触ＩＣカード４００がカード処理装置３のカード挿入口５０の全部もしくは一部を塞ぐような構造とするが、実施例１の場合と異なり、磁気カード３００の搬送力を受けて利用者側に倒れる構成となっている。
【００４３】
非接触ＩＣカードリーダは、アンテナ部３３を介して上記保持機構８０に置かれた非接触ＩＣカード４００と通信を行い、非接触ＩＣカードのＩＣチップに記録されている情報を、ホストインタフェース３５経由でＡＴＭ１とやり取りする。
【００４４】
必要な取引が終了した後、ＡＴＭ１のＡＴＭ全体制御部２は、カード処理装置３に磁気カードの排出動作を要求し、カード処理装置は磁気カードを返却する（図８（ｄ）のＤ’）。
【００４５】
すなわち、ＡＴＭ全体制御部２がカード処理装置３に磁気カードの排出動作を要求すると（図８（ｃ）のＣ）、排出された磁気カード３００がカード挿入口５０まで搬送され、非接触ＩＣカード保持機構８０に置かれた非接触ＩＣカード４００に突き当てられる。図８（ｄ）に示すように、非接触ＩＣカード保持機構８０は、利用者によって置かれる非接触ＩＣカード４００を保持するためのカード保持部材８０１と、カード保持部材８０１を利用者側に倒れこませるための留め具８０２と、カード保持部材８０１が倒れこんだことを検知するためのセンサ８０３とを有している。カード保持部材８０１は、例えば、ポリエチレン製や樹脂製の平板状の部材を用いればよい。留め具８０２は、例えば、ボルトとナットのような金具を用いればよい。センサ８０３は、例えば、遮光センサを用いればよい。カード処理装置３がさらに磁気カード３００を搬送すると、搬送された磁気カード３００がカード挿入口５０から突出することにより非接触ＩＣカード４００を押し、非接触ＩＣカード保持機構は保持する非接触ＩＣカードが押されることにより、利用者側に倒れる（図８（ｃ）のＢ’）。実際には、留め具８０２には、カード保持部材８０１が倒れこみ過ぎないようなロック機構を有し、カード保持部材８０１が、搬送された磁気カード３００と非接触ＩＣカード４００とが重なる程度の角度までしか開かないようにロック機構が調整されている。
【００４６】
非接触ＩＣカード保持機構８０の保持部材が上記角度まで倒れることにより、磁気カード３００と非接触ＩＣカード４００が重なってカード挿入口５０の利用者側に置かれ（図８（ｄ）のＤ’）、利用者２００は、一回の取り外し動作で２枚のカードを同時に回収することができる。このとき、ＡＴＭ１のＡＴＭ全体制御部２は、表示部４に表示するガイダンスにより、利用者に対して、磁気カード３００と非接触ＩＣカード４００とが略同じ位置から排出される旨を出力する。
【００４７】
加えて、センサ８０３が、非接触ＩＣカード保持機構８０が倒れたことを検知することにより、非接触ＩＣカードリーダ６は、非接触ＩＣカード４００が取外されたことを検知し、ホストインタフェース３５を介してＡＴＭ１に通知する。ＡＴＭ１は、表示部４に表示するガイダンスにより、非接触ＩＣカード４００を非接触ＩＣカード保持機構８０から取り外すよう促す。
【００４８】
本実施の形態によれば、ＡＴＭ１は、磁気カード３００をＡＴＭ１に挿入排出するためのカード挿入口５０と、磁気カード３００を取り込んで搬送しカード情報を読取るカード処理装置３と、非接触ＩＣカード４００と通信するための非接触ＩＣカードリーダ６と、利用者２００に向けたガイダンスを出力する表示部４と、上記各部をそれぞれ制御するＡＴＭ全体制御部２とを備え、前記非接触ＩＣカードリーダ６のアンテナ部３３をカード挿入口５０の一部または全部と重なる位置に設け、取引処理の開始で、利用者２００が磁気カード３００を挿入し、その後、非接触ＩＣカード４００を非接触ＩＣカードリーダ６と通信するための所定の位置に置き、取引終了後には、非接触ＩＣカード４００を所定の位置から取り除きつつ、磁気カード３００と非接触ＩＣカード４００の２枚のカードを、略同一位置となる箇所から同時にカード挿入口５０に返却することで、取り忘れを抑制することをより一層向上させることができる。また、上記の処理の流れをガイダンスで表示するので、利用者２００に対して、とり忘れ防止を強く意識づけることができる。
【００４９】
尚、本発明は、上記した実施例に限定されるものではなく、様々な変形例が含まれる。例えば、表示部４のガイダンスの代わりにはＡＴＭ１もしくはカード処理装置３もしくは非接触ＩＣカードリーダ６のランプまたはスピーカから出力したガイダンス音でもよい。
また、磁気カードに代わりに接触ＩＣカードもしくは非接触ＩＣカードをカード挿入口５０に挿入する場合も同様に考えることができる。
【００５０】
このように、本実施例１、実施例２では、非接触式の媒体である第１の媒体（例えば、非接触ＩＣカード４００）と、第１の媒体以外の媒体である第２の媒体（例えば、磁気カード３００）とを用いた取引が可能なＡＴＭ１において、第２の媒体を挿入するためのカード挿入口５０と、第１の媒体に記録された情報を読み取るためのリーダ部であって、カード挿入口５０の近傍に設けられたアンテナ部３３と、を備えているので、例えば、非接触ＩＣカード４００と、非接触ＩＣカード４００以外の磁気カード３００を使用した取引において、複雑なメカ構造を追加することなく、これらのカードの取り忘れを防止することができる。
【００５１】
また、本実施例１、実施例２では、第１の媒体の一部または全部がカード挿入口５０の一部または全部を覆うように第１の媒体を保持する非接触ＩＣカード保持機構７０または非接触ＩＣカード保持機構８０を備えているので、第１の媒体とカード挿入口５０の近傍に設けられたアンテナ部３３との間の通信を確保しつつ、利用者の意識を１箇所に向けることができる。また、利用者自身が第１の媒体を保持する必要がなくなるので、利用者の利便性を向上させることができる。
【００５２】
また、実施例２では、非接触ＩＣカード保持機構８０は、第１の媒体を保持するためのカード保持部材８０１と、カード挿入口５０から排出される第２の媒体に押し当てられた第１の媒体によってカード保持部材８０１を利用者側に倒すための留め具８０２と、を有して構成されるので、簡易な構成で第１の媒体および第２の媒体の同時に受け取ることを可能とする。
【００５３】
また、実施例２では、カード保持部材８０１が利用者側に倒れたことを検知するセンサ８０３と、取引を制御するＡＴＭ全体制御部２と、を備え、ＡＴＭ全体制御部２は、第１の媒体と第２の媒体とが排出された旨のガイダンスを利用者に向けて出力するので、利用者の視覚、聴覚を通じてこれらの媒体が受け取り可能な状態にあることを容易に把握することができる。
【００５４】
また、実施例１では、取引を制御するＡＴＭ全体制御部２と、アンテナ部３３を有した第１の媒体を用いた処理を行う第１の媒体処理装置（例えば、非接触ＩＣカードリーダ６）と、カード挿入口５０を有した第２の媒体を用いた処理を行う第２の媒体処理装置（例えば、カード処理装置３）と、を備え、ＡＴＭ全体制御部２は、第１の媒体処理装置が有するアンテナ部３３が非接触ＩＣカード保持機構８０に置かれた第１の媒体に記録された情報を読み取ることができなくなった場合に、第２の媒体を第２の媒体処理装置が有するカード挿入口５０から排出するので、取引終了後に利用者が第１の媒体を非接触ＩＣカード保持機構８０から抜き取るという自然な動作を行うだけで、第２の媒体を受け取ることができる。
【００５５】
また、実施例２では、取引を制御するＡＴＭ全体制御部２と、アンテナ部３３を有した第１の媒体を用いた処理を行う上記第１の媒体処理装置と、カード挿入口５０を有した第２の媒体を用いた処理を行う上記第２の媒体処理装置と、を備え、ＡＴＭ全体制御部２は、第２の媒体処理装置が有するカード挿入口５０から第２の媒体を排出して第１の媒体に突き当て、留め具８０２を中心にカード保持部材８０１を利用者側に倒すことにより、第１の媒体と第２の媒体とが重なるように第２の媒体を排出するので、第２の媒体が第１の媒体に略重なった状態で排出され、利用者はこれらのカードを一度に受け取りやすくなる。
【００５６】
また、実施例１、実施例２では、取引を制御するＡＴＭ全体制御部２と、表示部４と、を備え、ＡＴＭ全体制御部２は、第１の媒体と第２の媒体とが略同じ位置から返却される旨のガイダンスを表示部４に出力するので、利用者２００に対して、とり忘れ防止を視覚的に強く意識づけることができる。
【００５７】
上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５８】
１…ＡＴＭ、３…カード処理装置、４…表示部、６…非接触ＩＣカードリーダ、８…ランプ、９…スピーカ、７０、８０…非接触ＩＣカード保持機構、１３ａ…磁気ヘッド、２０ａ…搬送ローラ、３３…アンテナ部、３００…磁気カード、４００…非接触ＩＣカード、８０１…カード保持部材、８０２…留め具、８０３…センサ。
【図１】
2019133490.tif 000003
【図２】
2019133490.tif 000004
【図３】
2019133490.tif 000005
【図４】
2019133490.tif 000006
【図５】
2019133490.tif 000007
【図６】
2019133490.tif 000008
【図７】
2019133490.tif 000009
【図８】
2019133490.tif 000010